(57)【要約】【課題】従来の問題点を解決しつつ、印刷速度の低下を招くことなく画像調整を行うことの可能な画像形成装置を提供する。【解決手段】画像品質を維持するための画像調整を所定の画像調整タイミングが到来する度に実施する機能を有する画像形成装置において、前記画像調整タイミングの到来時にジョブ実行中であった場合、当該ジョブの終了後に前記画像調整を実施する制御部を備える。【選択図】図２
2010151862.tif 000002
【特許請求の範囲】
【請求項１】
画像品質を維持するための画像調整を所定の画像調整タイミングが到来する度に実施する機能を有する画像形成装置において、
前記画像調整タイミングの到来時にジョブ実行中であった場合、当該ジョブの終了後に前記画像調整を実施する制御部を備えることを特徴とする画像形成装置。
【請求項２】
前記制御部は、前記画像調整の実施中にジョブが発生した場合、当該ジョブを優先して実行し、そのジョブの終了後に前記画像調整を再開することを特徴とする請求項１記載の画像形成装置。
【請求項３】
前記画像調整として順に実施すべき複数の実施項目が予め設定されており、
前記制御部は、前記画像調整の実施中にジョブが発生した場合、現在実施中の実施項目の終了後に前記画像調整を中断して前記ジョブを実行し、そのジョブの終了後に前記画像調整を最初の実施項目から再開することを特徴とする請求項２記載の画像形成装置。
【請求項４】
前記画像調整として順に実施すべき複数の実施項目が予め設定されており、
前記制御部は、前記画像調整の実施中にジョブが発生した場合、現在実施中の実施項目の終了後に前記画像調整を中断して前記ジョブを実行し、そのジョブの終了後に、当該ジョブの量に応じて前記画像調整を最初の実施項目から再開するか、若しくは前記画像調整の中断前に未実施であった実施項目から再開することを特徴とする請求項２記載の画像形成装置。
【請求項５】
前記制御部は、現在実施中の実施項目が最後の実施項目であった場合、前記ジョブの終了後に前記画像調整を再開しないことを特徴とする請求項３または４に記載の画像形成装置。
【発明の詳細な説明】
【技術分野】
【０００１】
本発明は、コピー機やプリンタ等の画像形成装置に関する。
【背景技術】
【０００２】
近年のコピー機やプリンタ等の画像形成装置は、画像品質を維持するために、各色の印字位置やインクの印字量を調整するなどの画像調整を実施する機能を備えている。一般的な画像調整は、電源投入時、一定枚数印刷時（例えば１００ページ印刷毎）、所定時間経過時、装置環境変化時、トナーカートリッジやプリントユニット等の消耗品の交換時などの所定の画像調整タイミングが到来する度に実施されている。
【０００３】
従来では、例えば記録媒体への連続印刷中に画像調整を行う場合、現在印刷中のジョブを一時停止させて画像調整を行い、画像調整終了後に印刷を再開している。このため、連続印刷中に画像調整を行う場合は、全ての記録媒体への印刷が完了するまでの時間が長くなり、平均印刷速度の低下を招いていた。特に、大量の記録媒体への印刷を行う際には、印刷中に画像調整を複数回行うことがあるため、画像調整にかかる時間は無視できないものであった。
【０００４】
このような問題を解決するために、例えば下記特許文献１には、連続印刷中に画像調整を行う際に、操作部や通信部で設定された動作モードに応じて、画像形成部の中間転写ベルト上のトナー像間領域に画像調整パターンを形成し、センサでそのパターンを検出して画像調整を行う（つまり、連続印刷中の紙間で画像調整を行う）技術が開示されている。
【特許文献１】特開２００８−２６７０１号公報
【発明の開示】
【発明が解決しようとする課題】
【０００５】
上記特許文献１の技術では、以下のような問題点がある。
（１）中間転写ベルトのクリーニング性能が悪いと画像調整パターンが印刷されてしまう。
（２）１つの紙間（中間転写ベルト上のトナー像間）で検出可能な画像調整パターンの数が限られるため、多数の紙間が必要となる。
（３）画像調整パターンの途中で印字が終了した場合の処理を考えるとソフトが複雑になる。
（４）記録媒体の種類はバラバラのため、紙間自体も１回１回異なり、これに対応するためのソフトも複雑になる。
【０００６】
本発明は、上述した事情に鑑みてなされたものであり、上記問題点を解決しつつ、印刷速度の低下を招くことなく画像調整を行うことの可能な画像形成装置を提供することを目的とする。
【課題を解決するための手段】
【０００７】
上記目的を達成するために、本発明は、画像形成装置に係る第１の解決手段として、画像品質を維持するための画像調整を所定の画像調整タイミングが到来する度に実施する機能を有する画像形成装置において、前記画像調整タイミングの到来時にジョブ実行中であった場合、当該ジョブの終了後に前記画像調整を実施する制御部を備えることを特徴とする。
【０００８】
また、画像形成装置に係る第２の解決手段として、上記第１の解決手段において、前記制御部は、前記画像調整の実施中にジョブが発生した場合、当該ジョブを優先して実行し、そのジョブの終了後に前記画像調整を再開することを特徴とする。
【０００９】
また、画像形成装置に係る第３の解決手段として、上記第２の解決手段において、前記画像調整として順に実施すべき複数の実施項目が予め設定されており、前記制御部は、前記画像調整の実施中にジョブが発生した場合、現在実施中の実施項目の終了後に前記画像調整を中断して前記ジョブを実行し、そのジョブの終了後に前記画像調整を最初の実施項目から再開することを特徴とする。
【００１０】
また、画像形成装置に係る第４の解決手段として、上記第２の解決手段において、前記画像調整として順に実施すべき複数の実施項目が予め設定されており、前記制御部は、前記画像調整の実施中にジョブが発生した場合、現在実施中の実施項目の終了後に前記画像調整を中断して前記ジョブを実行し、そのジョブの終了後に、当該ジョブの量に応じて前記画像調整を最初の実施項目から再開するか、若しくは前記画像調整の中断前に未実施であった実施項目から再開することを特徴とする。
【００１１】
また、画像形成装置に係る第５の解決手段として、上記第３または第４の解決手段において、前記制御部は、現在実施中の実施項目が最後の実施項目であった場合、前記ジョブの終了後に前記画像調整を再開しないことを特徴とする。
【発明の効果】
【００１２】
本発明に係る画像形成装置よると、画像調整タイミングの到来時にジョブ実行中であった場合、当該ジョブの終了後に画像調整を実施するため、特許文献１の問題点は発生せず、且つ印刷速度の低下を招くことなく画像調整を行うことが可能となる。
【発明を実施するための最良の形態】
【００１３】
以下、図面を参照して、本発明の一実施形態について説明する。なお、以下では、本発明に係る画像形成装置として、コピー機、プリンタ等の機能を１台に集約したＭＦＰ(Multi Function Peripherals)を例示して説明する。
図１は本実施形態における画像形成装置１００の構成概略図である。この図１に示すように、画像形成装置１００は、原稿を読み取るための原稿読取装置１と、原稿読取装置１によって読み取った原稿の画像データ、または通信回線を介して外部から送信された画像データに基づいて用紙（記録媒体）に画像を形成するＭＦＰ本体２とから概略構成されている。
【００１４】
原稿読取装置１は、スキャナ部１０及びＡＤＦ(Auto Document Feeder：自動原稿給紙装置)２０から構成されている。スキャナ部１０は、プラテンガラス１１上にセットされた原稿、またはＡＤＦ２０によって自動給紙される原稿の読み取りを行うものであり、プラテンガラス１１、白色基準板１２、フルレートキャリッジ１３、ハーフレートキャリッジ１４、集光レンズ１５及びＣＣＤ(Charge Coupled Devices)センサ１６等を備えている。
【００１５】
プラテンガラス１１は、読み取り対象の原稿を１枚ずつセットするためのガラス板である。白色基準板１２は、シェーディング補正用の白色基準データを取得するための白色板である。フルレートキャリッジ１３は、プラテンガラス１１の下方において、不図示のキャリッジ搬送機構によりプラテンガラス１１に沿って左右方向（走査方向）に往復移動可能に設けられており、照明光を斜め上方に向けて出射するランプ１３ａと、照明光の反射光を後述するハーフレートキャリッジ１４に向けて反射するミラー１３ｂを内蔵している。
【００１６】
ハーフレートキャリッジ１４は、フルレートキャリッジ１３と同様に、不図示のキャリッジ搬送機構によりプラテンガラス１１に沿って左右方向に往復移動可能に設けられており、フルレートキャリッジ１３のミラー１３ｂからの入射光を下方に向けて反射するミラー１４ａと、ミラー１４ａからの入射光を後述する集光レンズ１５に向けて反射するミラー１４ｂを内蔵している。なお、キャリッジ搬送機構により、フルレートキャリッジ１３の移動量とハーフレートキャリッジ１４の移動量との比率は１：０．５となるように制御されている。これにより、集光レンズ１５に達するまでの照明光の光路長が一定となるように制御される。
【００１７】
プラテンガラス１１上にセットされた原稿を読み取る場合は、フルレートキャリッジ１３及びハーフレートキャリッジ１４を走査方向に移動させることで原稿をスキャンするが、後述するＡＤＦ２０によって原稿を自動給紙する場合には、フルレートキャリッジ１３及びハーフレートキャリッジ１４を所定の原稿読取位置にて待機させ、原稿側を移動（搬送）させることで原稿をスキャンする。
【００１８】
集光レンズ１５は、ハーフレートキャリッジ１４のミラー１４ｂからの入射光を集光してＣＣＤセンサ１６の受光面に結像させる。ＣＣＤセンサ１６は、不図示のＣＣＤ駆動部から供給されるタイミング信号に同期して作動し、受光面にて受光した光を光電変換することにより、読み取った原稿の画像に応じたアナログ電圧信号を生成してＡＦＥ（アナログフロントエンド：図示省略）に出力する。なお、ＡＦＥは、上記のアナログ電圧信号を所定のゲイン設定値にて増幅した後、デジタル変換して読み取った原稿の画像データを生成するものであり、この画像データはＭＦＰ本体２の制御部６０の制御により、画像データメモリ６３に記憶される（図２参照）。
【００１９】
ＡＤＦ２０は、原稿載置トレイ２２にセットされた複数枚の原稿を１枚ずつ順次自動給紙するものであり、プラテンカバー２１、原稿載置トレイ２２、ピックアップローラ２３、レジストローラ２４、プラテンローラ２５及び排紙ローラ２６等から構成されている。プラテンカバー２１は、スキャナ部１０の上面に対して開閉可能に設けられており、プラテンガラス１１上に原稿をセットして読み取りを行う場合における原稿押さえカバーとしての役割と、ピックアップローラ２３、レジストローラ２４、プラテンローラ２５及び排紙ローラ２６等の自動給紙機構に使用される部材の収納用筐体としての役割を担っている。なお、図１では、プラテンカバー２１が閉じられた状態を示している。
【００２０】
原稿載置トレイ２２は、読み取り対象の原稿をセットするためのトレイである。ピックアップローラ２３は、原稿載置トレイ２２にセットされた原稿を１枚ずつピックアップしてレジストローラ２４に搬出するためのローラである。レジストローラ２４は、所定のタイミングで原稿をプラテンローラ２５に搬送するためのローラである。プラテンローラ２５は、原稿を所定の原稿読取位置を経由して排紙ローラ２６に搬送するためのローラである。排紙ローラ２６は、読み取り完了後の原稿を外部に排出するためのローラである。これら各ローラの回転動作は、ＭＦＰ本体２の制御部６０により制御されている。
【００２１】
ＭＦＰ本体２は、原稿読取装置１にて読み取った原稿の画像データ、または通信回線を介して外部から送信された画像データに基づいて、電子写真方式によってトナー画像を形成し、そのトナー画像を記録媒体である用紙に転写するトナー画像形成部３と、トナー画像形成部３によって用紙に転写されたトナー画像を定着させる定着部４と、トナー画像形成部３及び定着部４を経由して用紙を外部に搬送するための用紙搬送機構５と、各種サイズの用紙を収容するための給紙カセット６、７、８とを備えている。さらに、ＭＦＰ本体２には、手前側に開閉自在な手差しトレイ９が設けられており、手差しトレイ９に載置された用紙を用紙搬送機構５によって搬送可能な構成となっている。
【００２２】
トナー画像形成部３は、中間転写ベルト３１と、イエロー（Ｙ）、マゼンダ（Ｍ）、シアン（Ｃ）、ブラック（ＢＫ）の各色にそれぞれ対応したトナー画像形成ユニットＦ（ＦＹ、ＦＭ、ＦＣ、ＦＢ）と、駆動ローラ３２と、テンションローラ３３と、二次転写ローラ３４と、クリーナー３５と、濃度センサ３６とから構成されている。
【００２３】
中間転写ベルト３１は、各トナー画像形成ユニットＦ（ＦＹ、ＦＭ、ＦＣ、ＦＢ）によって形成される各色のトナー画像を１次転写するための中間転写体であり、駆動ローラ３２及びテンションローラ３３に張架されて、図１において時計回りに回走する構成となっている。
【００２４】
トナー画像形成ユニットＦ（ＦＹ、ＦＭ、ＦＣ、ＦＢ）は、それぞれ感光体ドラムＦａと、帯電部Ｆｂと、露光部Ｆｃと、現像部Ｆｄと、一次転写ローラＦｅとを備え、さらに不図示のクリーニング装置及び除電装置等とを備える。感光体ドラムＦａは、円柱に形状設定され、その周面に静電潜像及び当該静電潜像に基づくトナー画像が形成されるものである。帯電部Ｆｂは、感光体ドラムＦａに対して対向配置され、感光体ドラムＦａの周面を帯電状態とするものである。露光部Ｆｃは、画像データに基づいてレーザ光を帯電状態の感光体ドラムＦａの周面において走査して静電潜像を形成するものである。現像部Ｆｄは、感光体ドラムＦａの周面に対してトナーを付着させることによって感光体ドラムＦａの周面上に静電潜像に基づくトナー画像を形成（現像）するものである。
【００２５】
一次転写ローラＦｅは、中間転写ベルト３１を挟んで感光体ドラムＦａと対向配置され、感光体ドラムＦａに現像されたトナー画像を中間転写ベルト３１に一次転写するものである。二次転写ローラ３４は、中間転写ベルト３１を挟んで駆動ローラ３２と対向配置されており、給紙カセット６、７、８のいずれかから用紙搬送機構５によって搬送される用紙に、中間転写ベルト３１表面に転写されているトナー画像を２次転写するものである。
【００２６】
クリーナー３５は、クリーニングローラやクリーニングブレード等を備え、中間転写ベルト３１の残留トナーを除去するものである。濃度センサ３６は、中間転写ベルト３１表面に転写されたトナー画像の濃度を検出するセンサであり、その検出結果を示す信号を制御部６０に出力する。
【００２７】
定着部４は、用紙上に二次転写されたトナー画像を定着させるものであり、加圧・加熱することによりトナーを定着させる加熱ローラ４１を備えている。用紙搬送機構５は、給紙カセット６、７、８から用紙を１枚ずつ搬出するためのピックアップローラ５１、５２、５３と、ピックアップした用紙をトナー画像形成部３（駆動ローラ３２と２次転写ローラ３４との間）に搬送するための給紙ローラ５４、５５、５６と、定着後の用紙を外部に排紙するための排紙ローラ５７等から構成されている。給紙カセット６、７、８は、ＭＦＰ本体２に対して引き出し自在に取り付けられており、各種サイズの用紙を収容するものである。
【００２８】
図２は、上述した画像形成装置１００の機能ブロック構成図である。なお、この図２において、図１と同じ構成要素には同一符号を付し、説明を省略する。図２において、符号６０は制御部、符号６１はＲＯＭ(Read Only Memory)、符号６２はＲＡＭ(Random Access Memory)、符号６３は画像データメモリ、符号６４は操作表示部、符号６５は通信Ｉ／Ｆである。なお、符号２００は、外部から画像形成装置１００へ印刷指示するためのＰＣ(Personal Computer)である。
【００２９】
制御部６０は、例えばＣＰＵ(Central Processing Unit)であり、ＲＯＭ６１に記憶されている制御プログラムに従い、画像データメモリ６３に記憶されている画像データ、操作表示部６４から入力される操作信号、濃度センサ３６の出力信号、通信Ｉ／Ｆ６５を介してＰＣ２００から受信した印刷指示信号及び印刷用画像データに基づいて、画像形成装置１００の各機能部（原稿読取装置１、トナー画像形成部３、定着部４、用紙搬送機構５など）を統合制御することにより、画像形成動作（トナー画像の形成動作、用紙へのトナー画像の転写動作、トナー画像の定着動作）を制御するものである。
【００３０】
また、制御部６０は、トナー画像形成部３を制御することにより、画像品質を維持するための画像調整を所定の画像調整タイミング（例えば、電源投入時、一定枚数印刷時（例えば１００ページ印刷毎）、所定時間経過時、装置環境変化時、トナーカートリッジやプリントユニット等の消耗品の交換時など）が到来する度に実施する機能を有している。ここで、画像形成装置１００には、画像調整として順に実施すべき複数の実施項目が予め設定されており、制御部６０は、その設定された順番に従って各実施項目を実施することで画像調整を行う。本実施形態では、以下の５項目が実施項目として設定されているものと想定する。なお、実施項目の内容は下記に限定されるものではない。
【００３１】
（１）実施項目１：センサの校正
制御部６０は、実施項目１として、濃度センサ３６の校正及び故障チェックを行う。
（２）実施項目２：濃度初期値の取得
制御部６０は、実施項目２として、中間転写体３１の表面にトナーを載せていない状態で得られる濃度センサ３６の出力信号から濃度初期値を取得する。なお、取得された濃度初期値はＲＡＭ６２に一時的に記憶され、以下の実施項目３及び４で使用される。
（３）実施項目３：現像電圧補正
制御部６０は、実施項目３として、各色のベタ濃度を決定するためのテストパターンを、各色のトナーによって形成して中間転写体３１に転写し、濃度センサ３６による各色のテストパターンの濃度測定結果と濃度初期値との関係から現像電圧補正値を決定し、その決定した現像電圧補正値を基に、各トナー画像形成ユニットＦ（ＦＹ、ＦＭ、ＦＣ、ＦＢ）で使用する現像電圧を補正する。
（４）実施項目４：ガンマ補正  
制御部６０は、実施項目４として、各色の中間調濃度を決定するためのテストパターンを、各色のトナーによって形成して中間転写体３１に転写し、濃度センサ３６による各色のテストパターンの濃度測定結果と濃度初期値との関係からガンマ補正値を決定する。なお、決定されたガンマ補正値はＲＡＭ６２に一時的に記憶され、次回のジョブ発生時において画像データのガンマ補正に使用される。
（５）実施項目５：色ズレ補正
本実施形態のようなタンデム方式の画像形成装置１００の場合、各トナー画像形成ユニットＦ（ＦＹ、ＦＭ、ＦＣ、ＦＢ）の配置位置の機械的ズレや、中間転写ベルト３１の回転速度の目標値からのズレなどに起因して色ズレ（各色間での転写位置ズレ）が発生する。制御部６０は、実施項目５として、各色で同じ位置にパッチパターンが形成されるように、各トナー画像形成ユニットＦ（ＦＹ、ＦＭ、ＦＣ、ＦＢ）を制御し、中間転写体３１に転写されたパッチパターンの濃度測定結果から色ズレ量を算出し、その算出結果を基に中間転写ベルト３１の回転速度や現像タイミング等を補正することで、色ズレ補正を行う。
【００３２】
ＲＯＭ６１は、制御部６０で使用される制御プログラムやその他の設定データを記憶する読み出し専用の不揮発性メモリである。ＲＡＭ６２は、制御部６０が制御プログラムを実行して各種動作を行う際に、データの一時保存先に用いられる揮発性のワーキングメモリである。画像データメモリ６３は、例えばフラッシュメモリであり、制御部６０による制御の下、画像読取装置１にて読み取った原稿の画像データや、ＰＣ２００から送信された印刷用画像データを記憶する書き換え可能な不揮発性メモリである。
【００３３】
操作表示部６４は、例えばタッチパネルによって構成されており、制御部６０による制御の下、各種操作キーや各種情報をユーザに通知する画面を表示すると共に、タッチパネル上に表示される各種操作キーの操作入力情報を操作信号として制御部６０に出力する。通信Ｉ／Ｆ６５は、画像形成装置１００（詳しくは制御部６０）と外部のＰＣ２００との間で通信を行うためのインタフェースであり、ＬＡＮ(Local Area Network)等のネットワークによってＰＣ２００と接続されている。
【００３４】
次に、上記のように構成された本実施形態に係る画像形成装置１００の動作、特に本実施形態の特徴である画像調整動作について、図３のフローチャートを参照して詳細に説明する。なお、制御部６０は、画像調整タイミングの到来を常に監視しており、画像調整タイミングが到来する度に、図３のフローチャートで表した画像調整動作を行う。
【００３５】
図３に示すように、まず、制御部６０は、画像調整タイミングが到来すると、ジョブ（コピージョブ、印刷ジョブのいずれか）の実行中か否かを判断し（ステップＳ１）、「Ｙes」の場合、そのジョブが終了したか否かを判断する（ステップＳ２）。一方、ステップＳ１において「Ｎo」の場合、つまり画像調整タイミングが到来した時にジョブの実行中ではない場合、制御部６０はステップＳ３に移行する。
【００３６】
上記ステップＳ２において「Ｎo」の場合、つまりジョブが終了していない場合には、制御部６０はステップＳ２の処理を繰り返すことにより、ジョブが終了するまで待機する。一方、上記ステップＳ２において「Ｙes」の場合、つまりジョブが終了した場合、制御部６０は、画像調整を実施する（ステップＳ３）。つまり、制御部６０は、上述した実施項目１〜５の内、実施項目１から順番に実施する。このような画像調整の実施中において、制御部６０は、ジョブが発生したか否かを判断し（ステップＳ４）、「Ｎo」の場合には、最後の実施項目５が終了したか否かを判断する（ステップＳ５）。
【００３７】
上記ステップＳ５において「Ｎo」の場合、つまり最後の実施項目５が終了していない場合、制御部６０はステップＳ４の処理に戻る。一方、上記ステップＳ５において「Ｙes」の場合、つまり最後の実施項目５が終了した場合、制御部６０は画像調整動作を終了する。
【００３８】
また、上記ステップＳ４において「Ｙes」の場合、つまり画像調整の実施中にジョブが発生した場合、制御部６０は、現在実施中の実施項目が終了したか否かを判断し（ステップＳ６）、「Ｎo」の場合には、現在実施中の実施項目が終了するまでステップＳ６の処理を繰り返す。一方、上記ステップＳ６において「Ｙes」の場合、つまり現在実施中の実施項目が終了した場合、制御部６０は画像調整を中断し（ステップＳ７）、発生したジョブを優先して実行する（ステップＳ８）。
【００３９】
そして、制御部６０は、そのジョブが終了したか否かを判断し（ステップＳ９）、「Ｎo」の場合は、ジョブが終了するまでステップＳ９の処理を繰り返し、一方、「Ｙes」の場合は、ステップＳ３に戻って画像調整を最初の実施項目１から再開する。
【００４０】
以上のように、本実施形態によれば、画像調整タイミングの到来時にジョブ実行中であった場合、当該ジョブの終了後に画像調整を実施するため、特許文献１の問題点は発生せず、且つ印刷速度の低下を招くことなく画像調整を行うことが可能となる。また、画像調整の実施中にジョブが発生した場合、当該ジョブを優先して実行し、そのジョブの終了後に画像調整を再開するため、ユーザが画像調整が終了するまで待機する必要がなく、印刷効率を向上することができる。
【００４１】
さらに、画像調整の実施中にジョブが発生した時点で、直ぐに画像調整を中断しようとすると、ソフトが複雑になってしまうため、図３で説明したように、現在実施中の実施項目の終了後に画像調整を中断して（つまり実施項目単位で画像調整を中断して）ジョブを実行することにより、ソフトの複雑化を防止することができる。一般的に、各実施項目毎にかかる時間は数秒程度であり、画像調整全体が終了するまでの時間は数十秒程度であるため、上記のように現在実施中の実施項目の終了後に画像調整を中断する場合、最大数秒ほどジョブの実行開始時間が延びることになるが、この程度の時間はユーザにそれほど不快感を与えるものではない。
【００４２】
なお、本発明は上記実施形態に限定されず、以下のような変形例が考えられる。
（１）上記実施形態では、画像調整を中断してジョブを実行し、そのジョブの終了後に画像調整を最初の実施項目１から再開する動作を例示したが、これは、画像調整中に発生したジョブの量（コピー枚数、印刷枚数）が大量だった場合を考慮すると、画像調整を最初から再開することが好ましいからである。その一方で、必ずしも画像調整中に発生するジョブの量が大量であるとは限らないため、画一的に画像調整を最初から再開することは、場合によっては画像調整時間を長くしてしまう可能性がある。
【００４３】
そこで、画像調整の実施中にジョブが発生した場合、現在実施中の実施項目の終了後に画像調整を中断してジョブを実行し、そのジョブの終了後に、当該ジョブの量に応じて画像調整を最初の実施項目から再開するか、若しくは画像調整の中断前に未実施であった実施項目から再開する機能を制御部６０に設けても良い。具体的には、ジョブの量が所定量（例えば１００枚）以上であった場合には、画像調整を最初の実施項目から再開し、ジョブの量が所定量未満であった場合には、画像調整の中断前に未実施であった実施項目から再開する。
【００４４】
（２）上記実施形態または変形例（１）では、画像調整の実施中にジョブが発生した場合、現在実施中の実施項目の終了後に画像調整を中断してジョブを実行し、そのジョブの終了後に画像調整を再開するが、例えば、現在実施中の実施項目が最後の実施項目５であった場合、現在実施中の実施項目が終了した時点で画像調整が終了するため、ジョブの終了後に画像調整を再開する必要はない。そこで、現在実施中の実施項目が最後の実施項目であった場合には、ジョブの終了後に画像調整を再開しない機能を制御部６０に設けることが望ましい。
【００４５】
（３）上記実施形態では、画像形成装置１００としてＭＦＰを例示して説明したが、本発明はこれに限定されず、コピー機や、プリンタ、ファクシミリ等の画像形成装置にも適用することができる。また、上記実施形態では、タンデム方式の画像形成装置１００を例示したが、その他の方式の画像形成装置でも本発明を適用可能であることは勿論である。例えば、モノクロ画像専用の画像形成装置、または１つの感光体ドラムを使用するタイプの画像形成装置では、画像調整の内の実施項目５（色ズレ補正）が省略される。
【図面の簡単な説明】
【００４６】
【図１】本発明の一実施形態に係る画像形成装置１００の構成概略図である。
【図２】本発明の一実施形態に係る画像形成装置１００の機能ブロック図である。
【図３】本発明の一実施形態に係る画像形成装置１００の画像調整動作を表すフローチャートである。
【符号の説明】
【００４７】
１００…画像形成装置、１…原稿読取装置、２…ＭＦＰ本体、１０…スキャナ部、２０…ＡＤＦ(Auto Document Feeder)、３…トナー画像形成部、４…定着部、５…用紙搬送機構、６、７、８…給紙カセット、６０…制御部、６１…ＲＯＭ(Read Only Memory)、６２…ＲＡＭ(Random Access Memory)、６３…画像データメモリ、６４…操作表示部、６５…通信Ｉ／Ｆ、２００…ＰＣ(Personal Computer)
【図１】
2010151862.tif 000003
【図２】
2010151862.tif 000004
【図３】
2010151862.tif 000005